(57)【要約】      （修正有）【課題】従来のダウンウェアより軽量化され、かつ柔軟性等の風合いに優れたダウンウェアを提供する。【解決手段】表生地、裏生地、及びそれら表裏の生地の間に配置され、それら表裏の生地より重くて硬いダウンパック用生地で羽毛を包むダウンパックを用いたダウンウェアにおいて、羽毛を包むダウンパック用生地として表生地を用いたダウンウェアであり、その場合、表生地、裏生地及びダウンパック生地のそれぞれには、モノフィラメントの見掛繊度が２０dtex〜４０dtexの繊維を用いた生地を用いるのが好ましい。【選択図】図１
0003134608.tif 000002
【実用新案登録請求の範囲】
【請求項１】
表生地、裏生地、及びそれら表裏の生地の間に配置され、それら表裏の生地より重くて硬いダウンパック用生地で羽毛を包むダウンパックを用いたダウンウェアにおいて、前記羽毛を包むダウンパック用生地として前記表生地を用いたことを特徴とするダウンウェア。
【請求項２】
前記裏生地にも前記表生地を用いたことを特徴とする請求項１記載のダウンウェア。
【請求項３】
前記表生地、裏生地及びダウンパック用生地のそれぞれにモノフィラメントの見掛繊度が２０dtex〜４０dtexの繊維を用いたことを特徴とする請求項１又は２記載のダウンウェア。
【考案の詳細な説明】
【技術分野】
【０００１】
本考案は、防寒性に優れた羽毛を含む衣料であるダウンウェア、特に羽毛を包むダウンパックを表裏の生地間に配置して用いるダウンウェアに関する。
【背景技術】
【０００２】
当初のダウンウェア（ダウンジャケット等）は、表生地と裏生地との間に羽毛を詰め込んだものであったが、近年、表生地と裏生地からの羽毛の吹き出しを防止するため、あらかじめ羽毛を生地で包んだダウンパックを表生地と裏生地の間に配置して用いることが行われてきた。また、このようなダウンパックを用いるダウンウェアの一例として、縫い目からの羽毛の吹き出し防止の観点から、ダウンパックの縫い目を工夫したもの（例えば、特許文献１参照）やダウンパックの縫い目を無くしたもの（例えば、特許文献２参照）が開示されている。
【０００３】
一方、羽毛を包むダウンパック用生地は、外観や柔軟性、手触り等の風合いが重視される表生地や裏生地と異なり、それらの生地の間に挿入される中生地でるため、柔軟性、手触り等の風合いの悪い低価額の生地が用いられてきた。しかも、前記低価額の生地は、包んだ羽毛がダウンパック生地の織目、網目等から吹き出すことを防止するために生地を高密度にする必要がある事から、必然的に重い物となった。したがって、このような従来の硬くて重いダウンパック用生地は、ダウンウェア全体を重くする要因となり、ダウンウェアの軽量化を妨げていた。
【０００４】
しかし、ダウンウェアに対する市場からの要求は、最近より高級化し、柔軟性等の風合いの向上は勿論、軽量化への要求もより厳しくなってきた。
【特許文献１】特開平２００２−１７３８１５号公報
【特許文献２】特開平２００１−２３４４１７号公報
【考案の開示】
【考案が解決しようとする課題】
【０００５】
そこで、本考案は、従来のダウンウェアより柔軟性等の風合いに優れ、かつ軽量化されたダウンウェアを提供することを目的とする。
【課題を解決するための手段】
【０００６】
上記目的を達成するために鋭意研究した結果、従来表生地として用いられていたものを、ダウンパック用生地として用いると、ダウンウェア全体として柔軟性等の風合いが大きく向上しかつ軽量化が十分図られ、しかも羽毛がダウンパック用生地の織目や網目から吹き出すことがないことを見出し、本考案を完成させた。
【０００７】
すなわち、本考案のうち第１の考案は、表生地、裏生地、及びそれら表裏の生地の間に配置され、それら表裏の生地より重くて硬いダウンパック用生地で羽毛を包むダウンパックを用いたダウンウェアにおいて、前記羽毛を包むダウンパック用生地として前記表生地を用いたことを特徴とするダウンウェアである。
【０００８】
第１考案において、表生地、裏生地は、従来のダウンパック用生地より柔らかくて軽く、羽毛が織目、網目等から吹き出さないようなものであれば、特に限定されない。なお、従来のダウンパック用生地より柔らかくて軽い生地としては、ＪＩＳ  Ｌ１０９６Ａ（カンチレバー法）に記載の測定法による剛軟度（ｍｍ）において、縦方向が３５ｍｍ以下であり、重さが、ＪＩＳ  Ｌ１０９６に記載の測定法による質量（ｇ／ｍｍ２）において、４５ｇ／ｍｍ２以下である生地を用いるとよい。この場合において、前記剛軟度（ｍｍ）は、縦方向において、好ましくは３０ｍｍ以下であり、より好ましくは２６ｍｍ以下である。なお、該剛軟度（ｍｍ）は、横方向において、２４ｍｍ以下であるのが好ましい。
【０００９】
本考案のうち、第２の考案は、前記裏生地にも前記表生地を用いたことを特徴とする第１の考案記載のダウンウェアであり、
第３の考案は、前記表生地、裏生地及びダウンパック用生地のそれぞれにモノフィラメントの見掛繊度が２０dtex〜４０dtexの繊維を用いたことを特徴とする第１又は第２の考案記載のダウンウェアである。ここで、見掛繊度とは、JIS L1096（8.8.1繊度及び表示）に記載の方法により測定した繊度をいう。
【００１０】
本考案の生地に用いる繊維としては、ポリエステル、ポリアミド系（ナイロン６、ナイロン６６等）、ポリウレタン、ビニロン、ポリアクリロニトリル、ポリオレフィン系（ポリエチレン、ポリプロピレン）等の合成繊維が例示されるが、ポリエステル単独繊維又はポリエステルを主体とする繊維（ポリエステルを５０重量％以上含む繊維）を用いるのが好ましく、繊維の太さとしては、第３の考案に示すように、モノフィラメントの見掛繊度が２０dtex〜４０dtexの繊維を用いるのが好ましい。２０dtex未満では、生地の強度の点で問題が生じ、４０dtexを超えると生地の風合いや軽さが損なわれる傾向にあるからである。なお、より好ましくは前記見掛繊度が２４dtex〜３０dtexの繊維を用いると良い。
【００１１】
本考案において、「それら表裏の生地の間に配置されたダウンパック」とは、表裏の生地の間にダウンパックを存在させればよい。したがって、ダウンパックが生地へ縫製等によって固定されているか否か、生地間に単に挿入されているか否か、生地に挟持されているか否か等の生地間におけるダウンパックの存在状態は問わない。なお、本考案において、ダウンパックとは、羽毛をダウンパック用生地で包んだ状態で表裏の生地間に配置するものをいう。また、本考案において、ダウンウェアとは、該ダウンパックを用いた衣料をいい、例えば、ダウンパックを用いたダウンジャケット、ダウンジャンパー、ダウンブルゾン、ダウンベスト等を挙げることができる。
【考案の効果】
【００１２】
本考案によれば、ダウンパック用生地として、表生地、即ち従来のダウンパック用生地より柔らかくて軽く、羽毛が織目、網目等からはみ出さないような生地を使用していることから、ダウンウェアは、従来品より、柔らかくて、軽く、しかも羽毛が織目、網目等から吹き出すことがないが、柔軟性等の風合いや、軽さについて言えば、着用者は、単に中生地（ダウンパック用生地）の表生地への置換とは思えない程度の柔軟性及び軽さを感じることができる。特に、第３考案の場合は、表生地、裏生地及びダウンパック用の生地のそれぞれにモノフィラメントの見掛繊度が２０dtex〜４０dtexの繊維を使用しているので、着用者は、柔軟性等の風合いや軽さの程度について特に優れていると感じることができる。
【考案を実施するための最良の形態】
【００１３】
本考案を実施するための形態は次の通りであるが、これは本考案を実施するための形態の一例に過ぎず、本考案はこの実施の形態に限定されるものではない。
【００１４】
図１は本考案に係るダウンウェアの表生地、ダウンパック用生地、羽毛及び裏生地の配置関係を示す概略図であり、１は表生地、２と４はダウンパック用生地、３は羽毛、５は裏生地である。ダウンパック用生地は表裏の生地の間に配置されるため、ダウンパック用生地としては、表裏の生地と比較すると、従来、重くて、風合いの悪い安価な生地が用いられてきたが、本実施の形態においては、１，２，４，５の全ての生地に表生地と同じポリエステル繊維の平織生地を用いた。
【００１５】
その結果、ダウンパック用生地を表生地に代えても、中生地であるため、柔軟性等の風合いはあまり変化しないであろうとする予測を覆し、ダウンパック用生地を含む全生地に表生地を使用すると、ダウンパック２，４に従来の生地を使用する従来のダウンウェアに比べ、着用者にとって柔軟性等の風合いが大きく向上したと感じられ、軽量化の程度も大きく、しかも羽毛の吹き出しのないダウンウェアを作成することができた。
【実施例】
【００１６】
以下、本考案を具体的実施例により説明するが、これは本考案の実施例の一例に過ぎず、本考案はこの実施例に限定されるものではない。
【００１７】
（実施例１）
このダウンウェアは、表生地１、裏生地５、ダウンパック用生地２，４のそれぞれに、旭化成株式会社製ポリエステル製繊維生地（モノフィラメントの見掛繊度は２４．１dtexである。）のインパクト（品番はAKE6200）を用いたものである。
【００１８】
（比較例１〜３）
これらのダウンウェアの表生地１と裏生地１は、いずれも前記旭化成株式会社製生地のインパクト（品番：AKE6200）を用いたものであるが、ダウンパック用生地としては、いずれも中国市場で入手した中国製のポリエステル製平織生地を使用しており、比較例１には品番２４０Ｔの生地が、比較例２には品番２６０Ｔの生地が、比較例３には品番２９０Ｔの生地が使用されている。
【００１９】
（試験項目）
剛軟度（mm）はJIS L1096A（カンチレバー法）に、見掛繊度（dtex）はJIS L1096（8.8.1繊度及び表示）に、密度（本／2.54cm）はJIS L1096に、質量（g/cm2）はJIS L1096に記載された方法に準じて、それぞれ、測定した。
【００２０】
実施例１と比較例１〜３に使用したダウンパック用生地の剛軟度、質量等を比較した結果を表１に示す。比較例の生地は、見掛繊度が大きく、しかも羽毛の吹き出し防止のために高密度になっていることから、生地の質量は５９．４〜６６．１ｇ／ｃｍ２になっているのに対し、実施例１は見掛繊度が小さいため、羽毛が吹き出さない程度の密度にしても、質量は３８ｇ／ｃｍ２程度になって、比較例に比べ著しく軽くなっている。また、剛軟度の数値が実施例１は比較例１〜３に比べ小さく、特に縦方向において顕著に小さくなっていて、実施例の生地は比較例の生地に比べ柔軟性に優れていることを示している。
【００２１】
これらのダウンパック用生地のダウンウェア着用者への影響は大きく、実施例１のダウンウェアは、比較例１〜３のダウンウェアに比べ、着用者に、単に中生地（ダウンパック用生地）の表生地への置換とは思えない程の柔軟性等の改善と、軽量化の程度の大きさを印象付けることになる。
【００２２】
【表１】
0003134608.tif 000003
【産業上の利用可能性】
【００２３】
本考案のダウンウェアは、軽くて、柔軟性、手触り等の風合いがよく、防寒用の高級衣料として好適に用いられるものである。
【図面の簡単な説明】
【００２４】
【図１】は、図１は本考案に係るダウンウェアの表生地、ダウンパック用生地、羽毛及び裏生地の配置関係を示す概略図である。
【符号の説明】
【００２５】
１    ダウンウェア表生地
２    ダウンパック用生地
３    羽毛
４    ダウンパック用生地
５    ダウンウェア裏生地
【図１】
0003134608.tif 000004
【手続補正書】
【提出日】平成19年6月7日(2007.6.7)
【手続補正１】
【補正対象書類名】実用新案登録請求の範囲
【補正対象項目名】請求項１
【補正方法】変更
【補正の内容】
【請求項１】
表生地、裏生地、及びそれら表裏の生地の間に配置され、それら表裏の生地より重くて硬いダウンパック用生地で羽毛を包むダウンパックを用いたダウンウェアにおいて、前記羽毛を包むダウンパック用生地として、前記表裏の生地より重くて硬いダウンパック用生地に代えて、前記表生地を用いたことを特徴とするダウンウェア。
【手続補正２】
【補正対象書類名】明細書
【補正対象項目名】０００７
【補正方法】変更
【補正の内容】
【０００７】
すなわち、本考案のうち第１の考案は、表生地、裏生地、及びそれら表裏の生地の間に配置され、それら表裏の生地より重くて硬いダウンパック用生地で羽毛を包むダウンパックを用いたダウンウェアにおいて、前記羽毛を包むダウンパック用生地として、前記表裏の生地より重くて硬いダウンパック用生地に代えて、前記表生地を用いたことを特徴とするダウンウェアである。